(57)【特許請求の範囲】
【請求項１】
着用者の大腿部を覆う脚部及び前記着用者の股部分を覆う股部を含み、前記着用者の下半身を覆うように構成された伸縮性の本体部を備え、
前記本体部の背面側には、
前記脚部の内側側面から前記本体部の脇部上側にわたって延在する帯状の第１緊締部と、
前記股部から前記本体部の脇部にわたって前記本体部の周方向に延在する帯状の第２緊締部と、が配置され、
前記第１緊締部と前記第２緊締部とは、前記着用者の臀溝に相当する位置を上下に跨ぐ重なり領域において互いに重なり合っており、
前記第１緊締部の上縁辺と前記第２緊締部の上縁辺とは、前記本体部に結合され、
前記第１緊締部の下縁辺と前記第２緊締部の下縁辺とは、前記本体部に非結合となっており、
前記第２緊締部の一端部は、前記本体部の後中心に位置し、前記第２緊締部の他端部は、前記脚部の外側側面に位置し、
前記第２緊締部は、一端部から他端部にかけて下方へ向かうように斜めに延在している、ボトム衣類。
【請求項２】
前記第１緊締部と前記第２緊締部とは、前記重なり領域の下部において互いに結合されている、請求項１記載のボトム衣類。
【請求項３】
前記第１緊締部の一端部は、前記股部と前記脚部上側とに跨るように位置し、前記第１緊締部の他端部は、前記本体部の脇部上縁に位置すると共に、前記本体部の前面側に回り込んでいる、請求項１又は２記載のボトム衣類。
【請求項４】
前記第２緊締部は、左右一対に設けられ、
左右の前記第２緊締部の一端部は、前記第２緊締部が上方に凸となるように後中心において互いに結合され、
左右の前記第２緊締部の上縁辺のそれぞれは、前記股部側に凸となるように湾曲している、請求項１〜３のいずれか一項記載のボトム衣類。
【請求項５】
前記本体部の背面側には、前記本体部の上縁に沿って延在する帯状の第３緊締部が更に配置され、
前記第３緊締部の左右方向外側の縁辺は、前記本体部及び前記第１緊締部に結合され、前記第３緊締部の上縁辺は、前記本体部に結合され、前記第３緊締部の下縁辺は、前記本体部に非結合となっている、請求項１〜４のいずれか一項記載のボトム衣類。
【請求項６】
前記第１緊締部と前記第２緊締部とは、前記重なり領域において、前記第１緊締部が前記本体部側に位置するように互いに重なり合っている、請求項１〜５のいずれか一項記載のボトム衣類。
【請求項７】
着用者の大腿部を覆う脚部及び前記着用者の股部分を覆う股部を含み、前記着用者の下半身を覆うように構成された伸縮性の本体部を備え、
前記本体部の背面側には、
前記脚部の内側側面から前記本体部の脇部上側にわたって延在する帯状の第１緊締部と、
前記股部から前記本体部の脇部にわたって前記本体部の周方向に延在する帯状の第２緊締部と、が配置され、
前記第１緊締部と前記第２緊締部とは、前記着用者の臀溝に相当する位置を上下に跨ぐ重なり領域において互いに重なり合っており、
前記第１緊締部の上縁辺と前記第２緊締部の上縁辺とは、前記本体部に結合され、
前記第１緊締部の下縁辺と前記第２緊締部の下縁辺とは、前記本体部に非結合となっており、
前記第１緊締部と前記第２緊締部とは、前記重なり領域の下部において互いに結合されている、ボトム衣類。
【発明の詳細な説明】
【技術分野】
【０００１】
本発明は、ボトム衣類に関する。
【背景技術】
【０００２】
従来、着用者の体型を補整する機能を備えたボトム衣類が知られている。例えば、特許文献１には、着用者の下半身を覆う本体部と、本体部の背面側から前面側にわたって設けられたヒップアップ用の当て布（緊締部）と、を備えたボトム衣類が開示されている。このボトム衣類では、緊締部によって臀部を押し上げて体型を補整することで、スッキリとしたボディラインを形成する。
【先行技術文献】
【特許文献】
【０００３】
【特許文献１】特開２０１２−１８８７６２号公報
【発明の概要】
【発明が解決しようとする課題】
【０００４】
上述したようなボトム衣類では、通常時には緊締部によって臀部が支持されるが、例えば運動時において、緊締部から臀部の贅肉が溢れ出してしまうことがある。この場合、溢れ出した贅肉により臀部周りのボディラインが崩れ、良好な体型補整効果が得られないおそれがある。また、例えば座位時や前かがみ時に緊締部の縁部において臀部が締め付けられることで、着用感が損なわれてしまうおそれもある。
【０００５】
そこで、本発明は、体型補整効果を向上しつつ、着用感をも向上できるボトム衣類を提供することを目的とする。
【課題を解決するための手段】
【０００６】
本発明の一側面に係るボトム衣類は、着用者の大腿部を覆う脚部及び着用者の股部分を覆う股部を含み、着用者の下半身を覆うように構成された伸縮性の本体部を備え、本体部の背面側には、脚部の内側側面から本体部の脇部上側にわたって延在する帯状の第１緊締部と、股部から本体部の脇部にわたって本体部の周方向に延在する帯状の第２緊締部と、が配置され、第１緊締部と第２緊締部とは、着用者の臀溝に相当する位置を上下に跨ぐ重なり領域において互いに重なり合っており、第１緊締部の上縁辺と第２緊締部の上縁辺とは、本体部に結合され、第１緊締部の下縁辺と第２緊締部の下縁辺とは、本体部に非結合となっている。
【０００７】
このボトム衣類では、着用者の大内転筋の筋繊維に沿う第１緊締部と着用者の大殿筋の筋繊維に沿う第２緊締部とによって、臀部を好適に押し上げることができる。更に、第１緊締部と第２緊締部とが着用者の臀溝に相当する位置を上下に跨ぐ重なり領域において互いに重なり合っていることから、臀部において皮膚の伸縮量が大きく贅肉が溢れ出し易い位置を効果的に押し上げる（引き絞め上げる）ことができる。その結果、臀部が押し上げられ、良好な体型補整効果を得ることができる。また、第１緊締部の下縁辺と第２緊締部の下縁辺とは、本体部に非結合となっている。これにより、第１緊締部の下縁辺及び第２緊締部の下縁辺での運動追従性が良好となる。その結果、緊締部の下縁辺がスムージングされ、良好な着用感を得ることができる。以上より、このボトム衣類によれば、体型補整効果を向上しつつ、着用感をも向上することが可能となる。
【０００８】
本発明の一側面に係るボトム衣類では、第１緊締部と第２緊締部とは、重なり領域の下部において互いに結合されていてもよい。これによれば、本体部において、第１緊締部と第２緊締部との重なり領域に相当する位置に皺が生じてしまうことを抑制することができる。
【０００９】
本発明の一側面に係るボトム衣類では、第１緊締部の一端部は、股部と脚部上側とに跨るように位置し、第１緊締部の他端部は、本体部の脇部上縁に位置すると共に、本体部の前面側に回り込んでいてもよい。これによれば、第１緊締部が着用者の大内転筋を引き上げ、臀部及び内ももをすっきりさせるように作用する。したがって、より良好な体型補整効果を得ることができる。
【００１０】
本発明の一側面に係るボトム衣類では、第２緊締部の一端部は、本体部の後中心に位置し、第２緊締部の他端部は、脚部の外側側面に位置し、第２緊締部は、一端部から他端部にかけて下方へ向かうように斜めに延在していてもよい。これによれば、第２緊締部が大殿筋に確実に沿うこととなり、より一層良好な体型補整効果を得ることができる。
【００１１】
本発明の一側面に係るボトム衣類では、第２緊締部は、左右一対に設けられ、左右の第２緊締部の一端部は、第２緊締部が上方に凸となるように後中心において互いに結合され、左右の第２緊締部の上縁辺のそれぞれは、股部側に凸となるように湾曲していてもよい。これによれば、第２緊締部によるヒップアップ効果が高められ、より一層良好な体型補整効果を得ることができる。
【００１２】
本発明の一側面に係るボトム衣類では、本体部の背面側には、本体部の上縁に沿って延在する帯状の第３緊締部が更に配置され、第３緊締部の左右方向外側の縁辺は、本体部及び第１緊締部に結合され、第３緊締部の上縁辺は、本体部に結合され、第３緊締部の下縁辺は、本体部に非結合となっていてもよい。これによれば、着用者の腰部がスムージングされ、より一層良好な体型補整効果を得ることができる。
【００１３】
本発明の一側面に係るボトム衣類では、第１緊締部と第２緊締部とは、重なり領域において、第１緊締部が本体部側に位置するように互いに重なり合っていてもよい。縫製を行う上では、裏側（着用者の肌に接する側）に配置される方の緊締部の上辺を本体部に結合することが望ましい。この構成によれば、結合位置が体中心側ではなく脇側となるので、良好な着用感を得ることができる。
【発明の効果】
【００１４】
本発明によれば、体型補整効果を向上しつつ、着用感をも向上できる。
【図面の簡単な説明】
【００１５】
【図１】本発明の一実施形態に係るボトム衣類の表側を前面側から示す図である。
【図２】図１のボトム衣類の表側を背面側から示す図である。
【図３】図１のボトム衣類の裏側を前面側から示す図である。
【図４】図１のボトム衣類の裏側を背面側から示す図である。
【図５】図１のボトム衣類の裏側を側面側から示す図である。
【図６】着用状態における図１のボトム衣類の裏側を前面側から示す図である。
【図７】着用者において皮膚の伸縮量が大きい位置を説明する図である。
【図８】変形例のボトム衣類の裏側を背面側から示す図である。
【発明を実施するための形態】
【００１６】
以下、本発明に係る実施形態について、図面を参照しつつ詳細に説明する。なお、以下の説明において、同一又は相当要素には同一符号を用い、重複する説明は省略する。
【００１７】
図１〜図６に示されるボトム衣類１は、例えば女性用のガードルであり、着用者の体型を補整する体型補整機能を有している。ボトム衣類１は、着用者の下半身を覆うように構成された伸縮性の本体部２を備え、左右対称に形成されている。
【００１８】
本体部２は、着用状態において、例えば着用者の腹部、腰部、臀部、及び大腿部を覆い、それらに対して密着するように構成されている。本体部２は、着用者の大腿部を覆う脚部３，３と、着用者の股部分を覆う股部４と、を有している。本体部２の上部は、着用状態において着用者のウエストライン付近に位置する帯状のウエスト部５となっている。本体部２は、例えば、上部では左右の身頃とフロント部６とを有している。本体部２は、前面側でフロント部６と左右の身頃とを縫着し、後中心Ｂで左右の身頃を互いに縫着し、脚部３，３の内側で前面側と背面側とを縫着することによって形成されている。本体部２を構成する素材には、伸縮性を有する素材が用いられる。この伸縮性を有する素材としては、例えばツーウェイトリコット、ツーウェイラッセル等の経緯両方向に伸縮性を有する素材を用いることができる。
【００１９】
図３に示されるように、本体部２の裏側（着用者の肌に接する側）の前面側において、着用者の腹部と股部分とに相当する位置には、フロント部６が配置されている。フロント部６は、股部４からウエスト部５にわたって延在している。フロント部６は、その左右縁辺６ａ，６ａ及びウエスト部５において本体部２に縫着されている。フロント部６の左右幅は、股部４からウエスト部５にかけて徐々に大きくなっており、例えば、上端においてウエスト部５の１／３から１／５程度の長さとなっている。フロント部６は、着用者の腹部を押さえて引き締めるための部分であり、例えばワンウェイのパワーネット等の素材により形成されている。股部４の裏側では、別布が縫着されてクロッチ部が形成されており、本体部２のウエスト部５では、本体部２が折り返されて縫着され、ゴムが挿通されている。その他、ウエスト部５において、本体部２を折り返して縫着する、いわゆるワサ始末がなされていてもよく、別布を縫着したり、ヘム素材や端始末不要の素材を用いて縫製を行わないようにしてもよい。
【００２０】
図３〜図５に示されるように、本体部２の背面側には、第１緊締部１１と、第２緊締部２１と、第３緊締部３１と、が配置されている。第１緊締部１１、第２緊締部２１、及び第３緊締部３１のそれぞれは、帯状をなし、例えば当て布によって構成されている。第１緊締部１１、第２緊締部２１、及び第３緊締部３１のそれぞれは、左右一対に設けられている。なお、図３〜図５では、理解を容易にするために第１緊締部１１及び第２緊締部２１にハッチングが付されている。
【００２１】
この例では、第１緊締部１１、第２緊締部２１、及び第３緊締部３１は、互いに同一の素材により形成されている。一般に、同一の素材であっても経方向と緯方向とでは、緊締力（伸長回復力）は異なるため、素材の向きを調整することにより、緊締力(伸長回復力)を調整することができる。また、形成箇所により異なる素材を用いて、緊締力(伸長回復力)を調整することも可能である。第１緊締部１１、第２緊締部２１、及び第３緊締部３１の緊締力は、本体部２の緊締力よりも大きくなっている。第１緊締部１１、第２緊締部２１、及び第３緊締部３１を構成する素材としては、例えばパワーネット、ツーウェイトリコット等を用いることができる。
【００２２】
図４に示されるように、第１緊締部１１は、脚部３の内側側面３ａから本体部２の脇部７の上側にわたって延在している。ここで、本体部２において、脇部７とは、前面側又は後面側から見た場合の左右両側（脇中心Ｃ側）の部分である。第１緊締部１１は、脚部３の内側側面３ａから本体部２の脇部７の上側にかけて上方へ向かうように斜めに延在している。第１緊締部１１の一端部１１ａは、股部４と脚部３の上側とに跨るように位置し、脚部３の内側側面３ａにおける本体部２の前面側と背面側との縫着部分に沿って本体部２に縫着されている。
【００２３】
図５に示されるように、第１緊締部１１の他端部１１ｂは、脇部７の上縁７ａ（ウエスト部５）に位置すると共に、本体部２の前面側に回り込んでいる。ここでの他端部１１ｂは、本体部２の前面側に回り込んでフロント部６まで延びている。他端部１１ｂは、上縁７ａに沿って本体部２に縫着される第１端辺１２と、本体部２の前面側においてフロント部６の左右縁辺６ａに沿って本体部２に縫着される第２端辺１３と、を有している。第１端辺１２と第２端辺１３とは互いに交差している。第１緊締部１１の幅は、一端部１１ａから他端部１１ｂにかけて徐々に大きくなっており、他端部１１ｂは、第１端辺１２と第２端辺１３との交点に向けて幅狭になっている。
【００２４】
図３に示されるように、第１緊締部１１の上縁辺１１ｃは、例えば縫着によって本体部２に結合されている。第１緊締部１１の下縁辺１１ｄは、本体部２に非縫着（非結合）となっており、本体部２から遊離している。上縁辺１１ｃの下端は、股部４において後中心Ｂよりも左右外側に位置している。上縁辺１１ｃの上端は、上縁７ａにおいて後中心Ｂと左右端との間の左右方向の中心よりも左右外側に位置している。上縁辺１１ｃは、左右外側に向けて凸状に湾曲している。下縁辺１１ｄの下端は、脚部３の上側に位置し、下縁辺１１ｄの上端は、フロント部６の左右縁辺６ａにおいて上下方向の中心付近に位置している。着用前の状態において、下縁辺１１ｄは、略直線状に延びている。
【００２５】
第２緊締部２１は、股部４から本体部２の脇部７にわたって本体部２の周方向（左右方向）に延在している。第２緊締部２１の一端部２１ａは、本体部２の後中心Ｂに位置し、後中心Ｂに沿って本体部２に縫着されている。より具体的には、第２緊締部２１の一端部２１ａは、本体部２の後中心Ｂと脚部３の上側とに跨るように位置し、脚部３の内側側面３ａの中心に沿っても本体部２に縫着されている。また、左右の第２緊締部２１の一端部２１ａは、第２緊締部２１が上方に凸となるように（頂部が上方を向くように）、後中心Ｂにおいて互いに縫着されている。図５に示されるように、第２緊締部２１の他端部２１ｂは、脚部３の外側側面３ｂにおける前後方向の中心線（脇中心Ｃ）、若しくは中心線よりも前面側に位置するように、脇中心Ｃに沿って本体部２に縫着されている。図４及び図５に示されるように、第２緊締部２１は、一端部２１ａから他端部２１ｂにかけて下方へ向かうように斜めに延在している。
【００２６】
図４及び図５に示されるように、第２緊締部２１の上縁辺２１ｃは、例えば縫着によって本体部２に結合されている。第２緊締部２１の下縁辺２１ｄは、本体部２に非縫着となっており、本体部２から遊離している。上縁辺２１ｃの上端は、本体部２の後中心Ｂに沿う部分において、上下方向の中心（股部４とウエスト部５との間の中心）付近に位置している。上縁辺２１ｃの下端は、本体部２の脇中心Ｃに沿う部分において、上下方向の中心付近に位置している。上縁辺２１ｃの下端は、上縁辺２１ｃの上端よりも下方に位置している。上縁辺２１ｃは、一端部２１ａ側において、股部４側に凸となるように湾曲している。上縁辺２１ｃは、第１緊締部１１における上縁辺１１ｃ及び下縁辺１１ｄと本体部２の前面側において交差している。
【００２７】
下縁辺２１ｄの上端は、脚部３の上側において、第１緊締部１１における上縁辺１１ｃの下端と下縁辺１１ｄの下端との間に位置している。下縁辺２１ｄの下端は、上縁辺２１ｃの下端よりも下方に位置している。下縁辺２１ｄは、僅かに上側に向けて凸状に湾曲している。下縁辺２１ｄは、第１緊締部１１における上縁辺１１ｃと交差しておらず、第１緊締部１１における下縁辺１１ｄと本体部２の前面側において交差している。
【００２８】
第１緊締部１１と第２緊締部２１とは、重なり領域Ｒにおいて互いに重なり合っている。この例では、第１緊締部１１と第２緊締部２１とは、重なり領域Ｒにおいて、第１緊締部１１が本体部２側に位置するように互いに重なり合っている。重なり領域Ｒは、着用者の臀部と大腿部との間に形成される臀溝Ｈ（後述する図６，７参照）に相当する位置を上下に跨いでいる。ここでの重なり領域Ｒは、五角形状（略菱形状）をなしている。
【００２９】
図４に示されるように、第１緊締部１１と第２緊締部２１とは、重なり領域Ｒの下部Ｄにおいて互いに縫着されている。この例では、下部Ｄは、重なり領域Ｒの最下部に位置し、下縁辺１１ｄ又は下縁辺２１ｄに沿って配置されている。下部Ｄにおける縫着長さは、例えば１ｃｍ程度となっている。なお、下部Ｄは、下縁辺２１ｄを跨ぐように配置され、その一部が重なり領域Ｒの外に位置していてもよい。
【００３０】
第３緊締部３１は、本体部２の上縁（ウエスト部５）に沿って左右方向に延在している。第３緊締部３１の左右縁辺３１ａ，３１ａのうちの一方（左右方向内側の縁辺）は、後中心Ｂに沿って本体部２に縫着され、左右縁辺３１ａ，３１ａの他方（左右方向外側の縁辺）は、上縁辺１１ｃに沿って本体部２及び第１緊締部１１に縫着されている。第３緊締部３１の上縁辺３１ｃは、ウエスト部５に沿って本体部２に縫着され、第３緊締部３１の下縁辺３１ｄは、本体部２に非縫着となっており、本体部２から遊離している。第３緊締部３１の上下幅は、左右方向の内側から外側にかけて徐々に小さくなっている。第３緊締部３１の上下幅は、例えば、股部４からウエスト部５までの長さの１／２から１／５程度の長さとなっている。
【００３１】
続いて、以上説明したボトム衣類１の作用効果について説明する。
【００３２】
図６は、着用状態におけるボトム衣類１の裏側を前面側から示す図である。図６では、説明の便宜上、表裏を逆転させた状態でのボトム衣類１の着用状態を示す。図６に示されるように、着用状態においては、本体部２が着用者の腹部、腰部、臀部、及び大腿部を覆い、それらに対して密着する。
【００３３】
ボトム衣類１では、着用状態において伸長した第１緊締部１１は、着用者の大内転筋の筋繊維に沿って配置される。これにより、第１緊締部１１の緊締力によって、矢印ｄ１で示されるように、大内転筋の筋繊維に沿って着用者の臀部を押し上げることができる。また、着用状態において伸長した第２緊締部２１は、着用者の大殿筋の筋繊維に沿って配置される。これにより、第２緊締部２１の緊締力によって、矢印ｄ２で示されるように、大殿筋の筋繊維に沿って着用者の臀部を押し上げることができる。これら第１緊締部１１と第２緊締部２１とによって、臀部を好適に押し上げることが可能となっている。
【００３４】
図７は、着用者において皮膚の伸縮量が大きい位置を説明する図である。図７では、片足挙げ動作時における皮膚の経方向の伸縮量が示されている。図７に示されるように、皮膚の伸縮量は、臀溝Ｈを上下に跨ぐ領域Ｆ１で最も大きくなり、領域Ｆ１の上側の領域Ｆ２で次に大きくなる。残りの領域Ｆ３では、皮膚の伸縮量は、領域Ｆ１，Ｆ２よりも小さくなる。このように、臀溝Ｈの近傍の領域Ｆ１においては、皮膚が畳み込まれていることから、皮膚の伸縮量が大きくなる。このために、緊締部によって臀部を支持する場合、臀溝Ｈの近傍において緊締部から贅肉が溢れ出し易くなる。
【００３５】
この点、ボトム衣類１では、第１緊締部１１と第２緊締部２１とが着用者の臀溝Ｈに相当する位置を上下に跨ぐ重なり領域Ｒにおいて互いに重なり合っている。そのため、臀部において皮膚の伸縮量が大きく贅肉が溢れ出し易い位置を効果的に押し上げる（引き絞め上げる）ことができる。このことと、上記のように臀部を好適に押し上げられることとが相俟って、臀部を押し上げて良好な体型補整効果を得ることが可能となっている。
【００３６】
また、ボトム衣類１では、第１緊締部１１の下縁辺１１ｄと第２緊締部２１の下縁辺２１ｄとは、本体部２に非結合となっている。これにより、第１緊締部１１の下縁辺１１ｄ及び第２緊締部２１の下縁辺２１ｄでの運動追従性が良好となる。その結果、下縁辺１１ｄ，２１ｄがスムージングされ、良好な着用感を得ることができる。すなわち、ボトム衣類１によれば、ヒップアップ効果が奏されるだけでなく、着用者の動きにもスムーズに追従するため、長時間着用しても不快感を与え難くなっている。以上の通り、ボトム衣類１によれば、体型補整効果を向上しつつ、着用感をも向上することが可能となっている。
【００３７】
また、ボトム衣類１では、第１緊締部１１と第２緊締部２１とは、重なり領域Ｒの下部において互いに結合されている。これにより、本体部２において、第１緊締部１１と第２緊締部２１との重なり領域Ｒに相当する位置に皺が生じてしまうことを抑制することができる。
【００３８】
また、ボトム衣類１では、第１緊締部１１の一端部１１ａは、股部４と脚部３の上側とに跨るように位置し、第１緊締部１１の他端部１１ｂは、本体部２の脇部７の上縁７ａに位置すると共に、本体部２の前面側に回り込んでいる。これにより、第１緊締部１１が着用者の大内転筋を引き上げ、臀部及び内ももをすっきりさせるように作用する。したがって、より良好な体型補整効果を得ることができる。
【００３９】
また、ボトム衣類１では、第２緊締部２１の一端部２１ａは、本体部２の後中心Ｂに位置し、第２緊締部２１の他端部２１ｂは、脚部３の外側側面３ｂに位置し、第２緊締部２１は、一端部２１ａから他端部２１ｂにかけて下方へ向かうように斜めに延在している。これにより、第２緊締部２１が大殿筋に確実に沿うこととなり、より一層良好な体型補整効果を得ることができる。
【００４０】
また、ボトム衣類１では、左右の第２緊締部２１の一端部２１ａは、第２緊締部２１が上方に凸となるように後中心Ｂにおいて互いに結合され、左右の第２緊締部２１の上縁辺２１ｃのそれぞれは、股部４側に凸となるように湾曲している。これにより、第２緊締部２１によるヒップアップ効果が高められ、より一層良好な体型補整効果を得ることができる。
【００４１】
また、ボトム衣類１では、本体部２の背面側には、本体部２の上縁に沿って延在する帯状の第３緊締部３１が更に配置され、第３緊締部３１の左右縁辺３１ａは、本体部２及び第１緊締部１１に結合され、第３緊締部３１の上縁辺３１ｃは、本体部２に結合され、第３緊締部３１の下縁辺３１ｄは、本体部２に非結合となっている。これにより、着用者の腰部がスムージングされ、より一層良好な体型補整効果を得ることができる。
【００４２】
また、ボトム衣類１では、第１緊締部１１と第２緊締部２１とは、重なり領域Ｒにおいて、第１緊締部１１が本体部２側に位置するように互いに重なり合っている。縫製を行う上では、裏側（着用者の肌に接する側）に配置される方の緊締部の上辺を本体部２に結合することが望ましい。この構成によれば、結合位置が体中心側ではなく脇側となるので、良好な着用感を得ることができる。
【００４３】
以上、本発明の好適な実施形態について説明したが、本発明は、上記実施形態に限られない。例えば、図８に示される変形例のボトム衣類１Ａのように、第１緊締部１１と第２緊締部２１とが、重なり領域Ｒにおいて、第２緊締部２１が本体部２側に位置するように互いに重なり合っていてもよい。このような変形例のボトム衣類１Ａによっても、体型補整効果を向上しつつ、着用感をも向上することが可能となる。
【００４４】
また、第１緊締部１１の緊締力が第２緊締部２１の緊締力よりも大きくなっていてもよい。この構成によれば、ヒップアップ効果を高めることができると共に、左右両側における体型補正効果を高めることができる。この場合、例えば、第１緊締部１１及び第２緊締部２１をパワーネットにより形成し、第１緊締部１１を形成するパワーネットのポリウレタン含有量を、第２緊締部２１を形成するパワーネットのポリウレタン含有量よりも多くすることで、第１緊締部１１の緊締力を第２緊締部２１の緊締力よりも大きくすることができる。
【００４５】
また、第１緊締部１１の緊締力が第２緊締部２１の緊締力よりも小さくなっていてもよい。この構成によれば、ヒップアップ効果を高めつつ、スムージング（段差解消）効果を高めることができる。この場合、例えば、第１緊締部１１及び第２緊締部２１をパワーネットにより形成し、第１緊締部１１を形成するパワーネットのポリウレタン含有量を、第２緊締部２１を形成するパワーネットのポリウレタン含有量よりも少なくすることで、第１緊締部１１の緊締力を第２緊締部２１の緊締力よりも小さくすることができる。なお、上記実施形態のように第１緊締部１１の緊締力と第２緊締部２１の緊締力とが等しい構成とすれば、バランスの良い体型補正効果を実現することができる。
【００４６】
ちなみに、第１緊締部１１、第２緊締部２１、及び第３緊締部３１の緊締力に関して、同一の素材であっても、経と緯とで特性が異なる場合がある。例えば、編物を用いた場合、経と緯とで特性が異なる。この点、ボトム衣類１では、生地の方向(地の目)を適切に配置することで、第１緊締部１１、第２緊締部２１、及び第３緊締部３１の緊締力の大きさが調整されている。
【００４７】
また、上記実施形態では、第１緊締部１１の上縁辺１１ｃの全体が本体部２に縫着されていたが、第１緊締部１１の上縁辺１１ｃの少なくとも一部が縫着されていればよい。この点は、第２緊締部２１の上縁辺２１ｃについても同様である。また、上記実施形態において、第１緊締部１１と第２緊締部２１とは、互いに縫着されなくてもよい。第１緊締部１１の一端部１１ａは、本体部２の後中心Ｂと脚部３の上側とに跨るように位置し、後中心Ｂに沿っても本体部２に縫着されてもよい。第２緊締部２１の上縁辺２１ｃは着用前の状態において略直線状に延びてもよい。左右の第２緊締部２１は、一枚の布により一体に構成されてもよい。第３緊締部３１は備えられなくてもよい。また、上記実施形態では、ガードルを例示したが、本発明は、ショーツ、パンティストッキング、タイツ、レギンス、水着等の各種のボトム衣類に適用することができる。
【符号の説明】
【００４８】
１，１Ａ…ボトム衣類、２…本体部、３…脚部、３ａ…内側側面、３ｂ…外側側面、４…股部、７…脇部、７ａ…脇部の上縁、１１…第１緊締部、１１ａ…一端部、１１ｂ…他端部、１１ｃ…上縁辺、１１ｄ…下縁辺、２１…第２緊締部、２１ａ…一端部、２１ｂ…他端部、２１ｃ…上縁辺、２１ｄ…下縁辺、３１…第３緊締部、３１ａ…左右縁辺、３１ｃ…上縁辺、３１ｄ…下縁辺、Ａ…前中心、Ｂ…後中心、Ｄ…重なり領域の下部、Ｈ…臀溝、Ｒ…重なり領域。
【図１】
0006604146.tif 000002
【図２】
0006604146.tif 000003
【図３】
0006604146.tif 000004
【図４】
0006604146.tif 000005
【図５】
0006604146.tif 000006
【図６】
0006604146.tif 000007
【図７】
0006604146.tif 000008
【図８】
0006604146.tif 000009